(57)【要約】【課題】  デスクトップ型パーソナルコンピュータ等の情報処理装置の本体の収納部品を追加したり、交換する作業は容易ではなく、メーカーは製品仕様をあらかじめ決め、変更を推奨していなかった。今日では、顧客が最適な製品仕様を購入段階で選択したいという要求や購入後顧客自身で変更したいという要求があり、上記作業の効率化が課題となっている。【解決手段】  本体に設けたリリースボタンを操作すると、本体に設けたヒンジを中心に、本体を２分割し、本体の内部を簡単に見れるようにした。さらに、このヒンジには、分離・結合手段を設け、２つの筐体に分離することと１つに結合できるようにした。同時に、記憶装置の固定と取り外しを、固定レバーに連動して突起部を、固定ネジ穴に嵌合ないし離合させて行えるようにした。上記作業は、工具を使用せず、簡単にできる。【選択図】  図１
2005086190.tif 000002
【特許請求の範囲】
【請求項１】
情報処理装置の本体において、該本体は２つの筐体からなり、ヒンジを介して１つに結合され、該筐体の開閉のロックを解除するようにリリースボタンを操作することによって、分離線から該筐体を回動させて開き、該本体の収納部品の組立、交換を容易に行うこと、及び該筐体を閉じる方向に回動させて該筐体を閉じて解放を自動ロックすること、並びにヒンジに分離・結合手段を設けて、２つの筐体に分離することまたは１つに結合できること、を特徴とする情報処理装置。
【請求項２】
請求項１の情報処理装置において、該ヒンジの主要な構成は、３つのブラケットからなり、第１ブラケットと第３ブラケットは分離可能なそれぞれの該筐体に固定され、第２ブラケットは、第１ブラケットと連接して回動する手段と第３ブラケットと分離・結合する手段を備え、該結合は、分離・結合レバーの操作によって、第２ブラケットに分離・結合レバーを取付けている移動軸と該分離・結合レバーに取付けられたクランプ軸を第３ブラケットの突起部の両端のＵ字溝に嵌合させ、第３ブラケットを第２ブラケットの移動軸とクランプ軸で挟み込む形でクランプして行い、分離は該クランプを解除して行うという特徴のヒンジを持つ請求項１記載の情報処理装置。
【請求項３】
情報処理装置の本体において、記憶装置の本体への固定を、固定レバーの動きに連動して、バネ材にカシメ止めした突起部を該記憶装置の固定ネジ穴に押し込み嵌合させて行うこと、同時に固定レバーに圧接されたロック板にて固定レバーの動きをロックして固定を保持すること、及び該ロック板による固定レバーのロックを解除するとともに該突起部を固定ネジ穴から離合させて記憶装置の取り外しを行うこと、を特徴とする情報処理装置。
【発明の詳細な説明】
【技術分野】
【０００１】  この発明は、デスクトップ型パーソナルコンピュータをはじめとする情報処理装置本体の組立、部品交換、仕様変更、点検、修理とリサイクル等を工具なしで及び短時間で顧客にも実現可能にする情報処理装置の本体の構造に関するものである。
【背景技術】
【０００２】  従来のデスクトップ型パーソナルコンピュータ等の情報処理装置本体は、例えば図１０に示すように板金製のシャーシによって箱型に形成し、その中に制御回路基板、電源、固定ディスク等の部品を収納し、その側面に金属製カバー２８や正面に樹脂製のフロントベゼル２７を取り付けている。このような構成では、前記の収納部品はアクセスし易い側面に配置し、部品間をケーブルで接続するため、内部は輻輳し、組立や交換作業は困難である。そのため、製品仕様はあらかじめ决められ、途中での仕様変更は推奨されていなかった。【０００３】  また、工場の組立工程では、あらかじめ決められた順番に、板金製のシャーシに例えば制御回路基板、電源、固定ディスクといった順に組立て、続いてケーブル類を接続し、フロントベゼル２７や側面のカバー２８を取り付けていた。この順番を変えると部品が邪魔をして取り付け、取り外しが不可能となり初めからやり直していた。【０００４】  このような部品間の干渉排除やエアドライバ等を使用する空間を考慮した配置とするため、図１０に示す従来の筐体は無駄なスペースがあり、大きく作られていた。
【発明の開示】
【発明が解決しようとする課題】
【０００５】  今、制御回路基板内の主メモリーを増設したり、固定ディスク等の記憶装置を交換しようとした場合は、どの順番でどのようにすればよいのか一見では分からない。マニュアル等を参照して、図１０（ａ）のフロントベゼルのドア２７ａに隠れているネジを取り外して、フロントベゼル２７を取除いた後、側面部のカバー２８を固定している図１０（ｂ）の背面部の３箇所のネジ２９を取り外し、カバー２８を後方にスライドさせて取り除くことで、本体内部の制御回路基板や記憶装置を見えるようにする。メモリー増設の場合は、アクセスし易い位置に配置するため、空いているコネクタに増設することはそれほど困難ではない。しかし、記憶装置の交換をする場合は、邪魔となっているケーブルや記憶装置を固定しているネジを取り外した後、交換するのが一般的で、この作業は熟練と多くの作業時間を要し、困難であり、メーカーは途中での記憶装置の仕様変更を推奨していなかった。【０００６】  しかしながら、顧客が購入時に最適な製品仕様を選択したいという要求が強くなって来ている。そこで、従来のこのようなデスクトップ型パーソナルコンピュータでの、組立、部品交換、仕様変更、点検、修理とリサイクル等の一連の作業をドライバー等を使用することなく及び短時間で、顧客にも可能にすることと、コンパクト、安価で十分な強度を持つ情報処理装置の本体を実現することが、本発明の課題である。
【課題を解決する為の手段】
【０００７】  この発明にかかわる情報処理装置においては、図２のリリースボタン８を矢印の方向にスライドさせると、該リリースボタンと結合した図４に示すスライド部材７が移動して、鍵部７ａが図１の鍵穴９から解放されてロックを解除し、図１のように、左側面の下部に設けたヒンジ１の図６（ａ）のヒンジ軸１５を中心に矢印の方向に分離線１０から開き、横に並べることができる。このとき、上方向が開放されるため、中央処理装置４等を搭載した制御回路基板３と固定ディスク等の記憶装置６と電源５を収納する作業順序を決める必要がなくなり、ライン生産に替わって、一人作業による効率的なセル生産方法も可能となる。
【０００８】  さらに、図１のヒンジ１に、図３のように筐体を左右に分離できる工具の不要な分離・結合レバー１４を設けることで、図５のように本体２を筐体Ａ２ａと筐体Ｂ２ｂに２分割し、サブアセンブリを可能として、工場での作業性をさらに改善することができる。
【０００９】  また、図７、図８と図９のように、記憶装置６の収納筐体２３への固定を、収納筐体２３の両側面に設けた固定レバー２２とロック板２６を図の右方向にスライドさせることで突起部２５を記憶装置６の固定ネジ穴６ａに嵌合させて行い、また、固定の解除は、ロック板２６をロックを解除するように押しつけながら固定レバー２２とともに図の左方向にスライドさせることで突起部２５を離合させて記憶装置６の固定を解放する。ここでも工具なしでの短時間作業を実現できる。
【発明の効果】
【００１０】  以上のように、この発明によれば、本体内部の中央処理装置４等を含む制御回路基板３や固定ディスク等の記憶装置６などの収納部品の組立、交換、リサイクルあるいは仕様変更等の作業を行う際に、あらかじめ作業順序を決めておく必要がなく、他の部品に邪魔されることなく上から簡単かつ迅速に作業ができるという効果がある。このように作業のための無駄な空間を確保する必要がなくなり、適度な部品間隔で収納できるため、コンパクトな筐体を実現できる。
【００１１】  さらに、情報処理装置の本体に適した、分離・結合機構を持つヒンジ１を考案したことで、二つの筐体の曲げ強度を図１のヒンジ１のように折り曲げ部を持つ第１ブラケット１１と第３ブラケット１３で高めることができる。また、分離された筐体Ａ２ａを記憶装置等の、筐体Ｂ２ｂを制御回路基板等の収納にすることで、各種製品仕様のユニットをあらかじめ組み立てることが可能となり、最終組立の時間を短縮することもできる。
【００１２】  筐体の開閉、分離をワンタッチで行うリリースボタン８とヒンジ１の分離・結合レバー１４や記憶装置６の固定レバー２２をつけることで、工具なしで、顧客自身が簡単に作業できるという効果も期待できる。
【００１３】  収納部品の追加や交換が容易に行えるため、顧客が購入時点で、製品仕様を選択して決めることが可能となり、既製品でなく顧客にとって最適な仕様の製品を最適な価格で購入できる。
【発明を実施するための最良の形態】
【００１４】  本発明の実施の最良な形態の一つは、図１１のように、従来の板金製の平面的な箱型でなく、曲面からなり、コンパクトでリビングに置いても違和感のない情報処理装置の本体を実現できる。開閉のためのリリースボタン８が最も見易い位置に配置され、本体を開いて、その内部が一望できるため、主メモリーの増設や記憶装置６の交換をドライバー等を使うことなく容易に行うことができる。図を用いて説明する。
【実施例１】
【００１５】  図２は、この発明を実施するための実施例１による、情報処理装置本体の後方斜視図を示し、図１は図２の本体２を矢印の方向に開いた状態を示している。図２に示す情報処理装置本体２のリリースボタン８を矢印の方向にスライドさせてロックを解除し、左側面の下部に設けたヒンジ１のヒンジ軸１５を中心に、固定ディスク等の記憶装置６が収納されている部分を回転させて、本体２を図１のように開けることができる。このように本体２を広げた状態では、上方及び側面が開放されるため、本体内部のそれぞれの部品、例えば中央処理装置４等を搭載した制御回路基板３や固定ディスク等の記憶装置６などに容易にアクセスできるので、組立、部品交換、仕様変更、点検、修理とリサイクル等の作業をすばやく行うことができる。【００１６】  図１に示すように本体を開いた後に、図５のように、本体をヒンジ１の部分で分離できる形態にすることができる。この場合、本体は２分割される。このように、本体を記憶装置６の部分と制御回路基板３の部分の二つのユニットに分割することで、各種製品仕様のユニットをあらかじめ組み立てることが可能となる。また、制御回路基板３を筐体Ｂ２ｂに取り付ける際は、上方から取付ける向きに筐体Ｂ２ｂを９０度回転させると、さらに作業効率が向上し、組立の時間を短縮できる。
【実施例２】
【００１７】  図７は、情報処理装置本体の記憶装置６の収納筐体２３の平面図であり、図８はその側面を、図９はその側面の断面を表している。今記憶装置６を収納筐体２３に固定しようとすると、図８のように、記憶装置６を収納筐体２３に入れ、図９の固定レバー２２を図の右方向にスライドさせることでバネ材２４を押し込み、バネ材２４にカシメ止めされた突起部２５を収納筐体孔２３ａと記憶装置６の固定ネジ穴６ａに嵌合させて固定し、同時に、固定レバー２２に圧接されたロック板２６のロック板突起部２６ａが収納筐体２３のロック孔２３ｂに入り、固定レバーの動きをロックし固定を保持する。【００１８】  固定を解除するときは、ロック板２６をロックを解除するように押し付けながら固定レバー２２とともに図の左方向にスライドさせることで突起部２５を離合させて記憶装置６の固定を解除する。ここでも工具なしでの短時間作業を実現できる。【００１９】  上記実施形態１を実現可能としたヒンジ１は、図６（ａ）のように一枚の金属板から板金加工された３つのブラケット、第１ブラケット１１、第２ブラケット１２と第３ブラケット１３から構成されている。第２ブラケット１２には、第１ブラケット１１とのヒンジ手段と第３ブラケット１３との分離・結合手段を備えている。【００２０】  このヒンジ１の第１ブラケット１１は筐体Ｂ２ｂに、第３ブラケット１３は筐体Ａ２ａにネジ留めされている。ヒンジ１が図６（ａ）の状態では、筐体Ａ２ａと筐体Ｂ２ｂはヒンジ軸１５によって、図１のように展開することができる。図１の開いた状態から、閉じて図２の通常の使用状態にしようとすると、図１のスライド部材７の鍵部７ａが鍵穴９に入り、閉じた状態を保持する。この使用状態では、ヒンジの分離・結合レバー１４が衝撃等で動かないようにストッパー１１ａが第１ブラケット１１に備えられている。【００２１】  ヒンジ１の分離・結合機構を説明する。第２ブラケット１２には分離・結合レバー１４が、移動軸２１によって取付けられている。この分離・結合レバー１４にはコの字のクランプ軸１９がクランプ孔２０にはめ込まれている。第１ブラケット１１と第２ブラケット１２はヒンジ軸１５、スペーサ１６、図示しない留めＥリング１７と六角ナット１８によって連接されている。【００２２】  結合は、分離・結合レバー１４の図６（ｃ）から（ａ）の動きによって行われる。第２ブラケット１２を第３ブラッケット１３の上にかぶせ、第２ブラケット１２に設けられたＵ字溝１２ｂと第３ブラケット１３に設けられた左Ｕ字溝１３ｃに分離・結合レバー１４にはめ込まれたクランプ軸１９が嵌合し、移動軸２１が移動穴１２ａを移動して、第３ブラケット１３の突起部１３ａの右Ｕ字溝１３ｂに移動軸２１が嵌合して、第３ブラケット１３を第２ブラケット１２のクランプ軸１９と移動軸２１で挟みこむ形でクランプし、第２ブラケット１２と第３ブラケット１３が一体として結合される。【００２３】  分離は、分離・結合レバー１４の図６（ａ）から（ｃ）の動きによって行われる。図６（ａ）の本体を水平に開いた状態で、ヒンジ１の分離・結合レバー１４を移動軸２１を中心に上方に持ち上げると、図６（ｂ）のように、第３ブラケット１３の左Ｕ字溝１３ｃ���係止したクランプ軸１９がクランプを外す方向に移動し、同時に分離・結合レバー１４の移動軸２１が第３ブラケット１３の右Ｕ字溝１３ｂから離れ、図６（ｃ）のように第１ブラケット１１と第３ブラケット１３が分離される。
上記のように、ヒンジ１の分離と結合は、工具を使うことなく、容易に行うことができる。
【図面の簡単な説明】
【００２４】
【図１】  実施の形態１の本体を開いた状態を説明するための図である。
【図２】  実施の形態１の本体を説明するための後方斜視図である。
【図３】  ヒンジ部の拡大斜視図である。
【図４】  図１のリリースボタンに結合するスライド部材を説明するための図である
【図５】  実施の形態１の本体筐体を分離した場合を説明するための図である
【図６】  （ａ），（ｂ），（ｃ）  ヒンジの結合、分離を説明するための図である
【図７】、
【図８】、
【図９】  固定レバーの操作で記憶装置を筐体へ固定する説明図である
【図１０】  従来の情報処理装置の本体側面カバーを取り外すための説明図である。
【図１１】  発明を実施するための最良の形態を説明する図である。
【符号の説明】
【００２５】  １  ヒンジ、２  本体，２ａ  筐体Ａ、２ｂ  筐体Ｂ、３  制御回路基板、４  中央処理装置、５  電源、６  記憶装置、６ａ  固定ネジ穴、７  スライド部材、７ａ  鍵部、８  リリースボタン、９  鍵穴、１０  分離線、１１  第１ブラケット、１１ａ  ストッパー、１２  第２ブラケット、１２ａ  移動穴、１２ｂ  Ｕ字溝、１３第３ブラケット、１３ａ  突起部、１３ｂ  右Ｕ字溝、１３ｃ  左Ｕ字溝、１４  分離・結合レバー、１５  ヒンジ軸、１６  スペーサ、１７  留めＥリング、１８  六角ナット、１９  クランプ軸、２０  クランプ孔、２１  移動軸、２２  固定レバー、２３  収納筐体、２３ａ  収納筐体孔、２３ｂ  ロック孔、２４  バネ材、２５  突起部、２６  ロック板、２６ａ  ロック板突起部、２７  フロントベゼル、２７ａ  ドア、２８  カバー、２９  ネジ
【図１】
2005086190.tif 000003
【図２】
2005086190.tif 000004
【図３】
2005086190.tif 000005
【図４】
2005086190.tif 000006
【図５】
2005086190.tif 000007
【図６】
2005086190.tif 000008
【図７】
2005086190.tif 000009
【図８】
2005086190.tif 000010
【図９】
2005086190.tif 000011
【図１０】
2005086190.tif 000012
【図１１】
2005086190.tif 000013